(57)【要約】【課題】レンズホルダーの左右側壁部の共振やフォーカス用コイルの共振に起因するレンズホルダーの共振を防止でき、レンズホルダーの剛性や重心バランス等の変更、調整も行える対物レンズアクチュエータを提供する。【解決手段】対物レンズアクチュエータのレンズホルダー１のレンズ保持部１ａと、レンズホルダー１の外壁１ｂの左右側壁部１ｄを、左右一対の補強部材１０で連結し、外壁１ｂの内側に取付けられたフォーカス用コイル８を補強部材１０で押さえる。これによりレンズホルダー１の剛性、特に左右側壁部１ｄの剛性を高めて不要な共振を生じ難くすると共に、フォーカス用コイル８の共振も生じ難くし、これらに起因するレンズホルダー１全体の共振を防止する。レンズホルダー１とは別部材である補強部材１０の材質、位置、重量、体積等を変えることでレンズホルダー１の剛性や重心バランス等を変更、調整することもできる。【選択図】図１
2008108345.tif 000002
【特許請求の範囲】
【請求項１】
レンズ保持部の周囲に外壁を一体に形成してなるレンズホルダーのレンズ保持部に対物レンズを保持させ、外壁の内側にフォーカス用コイル、外壁の前後壁部にトラッキング用コイル、レンズホルダーの下面にチルト用コイルをそれぞれ取付けると共に、外壁の左右側壁部を複数のワイヤで支持させた対物レンズアクチュエータにおいて、
上記レンズホルダーのレンズ保持部と左右側壁部に嵌合溝を形成し、これらの嵌合溝に左右一対の補強部材の両端部を嵌合させると共に、補強部材の一端に形成した位置決め用突片を左右側壁部の外面に当接させて、補強部材の両端部を接着することにより、上記レンズホルダーのレンズ保持部と左右側壁部を左右一対の上記補強部材で連結し、かつ、これらの補強部材で上記フォーカス用コイルを押さえたことを特徴とする対物レンズアクチュエータ。
【請求項２】
レンズ保持部の周囲に外壁を一体に形成してなるレンズホルダーのレンズ保持部に対物レンズを保持させ、外壁の内側にフォーカス用コイル、外壁の前後壁部にトラッキング用コイル、レンズホルダーの下面にチルト用コイルをそれぞれ取付けると共に、外壁の左右側壁部を複数のワイヤで支持させた対物レンズアクチュエータにおいて、
上記レンズホルダーのレンズ保持部と左右側壁部を、左右一対の補強部材で連結したことを特徴とする対物レンズアクチュエータ。
【請求項３】
上記レンズホルダーのレンズ保持部と左右側壁部に嵌合溝を形成し、これらの嵌合溝に左右一対の上記補強部材の両端部を嵌合させて接着したことを特徴とする請求項２に記載の対物レンズアクチュエータ。
【請求項４】
上記補強部材の一端に下方へ突き出す位置決め用突片を形成し、この位置決め用突片を上記左右側壁部の外面に当接させたことを特徴とする請求項２又は請求項３に記載の対物レンズアクチュエータ。
【発明の詳細な説明】
【技術分野】
【０００１】
本発明は、ＣＤ、ＤＶＤ等の光ディスク装置に搭載される光ピックアップ装置の対物レンズを駆動制御する対物レンズアクチュエータに関する。
【背景技術】
【０００２】
周知のように、光ディスク装置に搭載される光ピックアップ装置は、そのスライドベースに、レーザーダイオード、回折格子（グレーティング）、偏光ビームスプリッター、立上げミラー、対物レンズ、対物レンズアクチュエータ、光検出器などを搭載したものであって、レーザーダイオードから発せられたレーザービームを回折格子で３ビームに回折し、変更ビームスプリッターを透過したビームを立上げミラーで上方に反射させて対物レンズで集光させながら光ディスクに照射し、その反射光束を光検出器で検出して、記録・再生を行うものである。このとき、対物レンズは対物レンズアクチュエータによって駆動され、光ディスクに対するフォーカス制御、トラッキング制御、チルト制御が行われるようになっている。
【０００３】
対物レンズアクチュエータには種々のタイプのものが存在するが、そのうち、所謂「ワイヤ式アクチュエータ」と呼ばれているものは、対物レンズを保持したレンズホルダーの左右両側を複数のワイヤで支持した概略構造を有している。このようなワイヤ式アクチュエータのレンズホルダーとして、例えば、図４に示すように、レンズ保持部１ａの周囲に外壁１ｂを一体に形成し、レンズ保持部１ａの上部内側に対物レンズ、外壁１ｂの内側にフォーカス用コイル、外壁１ｂの前後壁部１ｃにトラッキング用コイル、ホルダー下面にチルト用コイルをそれぞれ取付けるようにしたレンズホルダー１が知られている。
【０００４】
また、対物レンズを保持するレンズホルダーに形成されたセンターリブに、アルミニウム製の補強材を接着することで、レンズホルダーの高剛性化を図ったアクチュエータ（特許文献１）や、レンズホルダーの側面に光束を遮らない開口を設け、この開口を設けたレンズホルダーの側面に補強部材を取付けることで剛性を高めた対物レンズ駆動装置（特許文献２）も知られている。
【特許文献１】特開２００１−２７３６５８号公報
【特許文献２】特開２００１−２１６６６５号公報
【発明の開示】
【発明が解決しようとする課題】
【０００５】
しかしながら、図４に示すレンズホルダー１を組み込んだ従来の対物レンズアクチュエータは、外壁１ｂの剛性が十分でないため、制御動作時に外壁１ｂの特に左右側壁部１ｄ，１ｄが矢印で示すように左右方向に共振し、それに起因してレンズホルダー１全体が共振して制御に支障をきたす懸念があった。また、このレンズホルダー１の外壁１ｂの内側に取付けられるフォーカス用コイルの不要な共振に起因して、レンズホルダー１が共振する懸念もあった。
【０００６】
一方、前記特許文献１のアクチュエータは、レンズホルダーのセンターリブにアルミニウム製の一つの補強材を接着したものであるため、補強材の材質、位置などを変えることでレンズホルダーの剛性、重心バランス等を変更、調整することができないという問題があり、しかも、この特許文献１のアクチュエータの補強技術は、センターリブのない従来の対物レンズアクチュエータに直接適用することができず、あえて適用したとしても、レンズホルダーの左右側壁部の共振やフォーカス用コイルの共振に起因するレンズホルダーの共振を防止できないものであった。また、前記特許文献２の対物レンズ駆動装置も、上記と同様の問題を有していた。
【０００７】
本発明は上記の事情の下になされたもので、その解決しようとする課題は、レンズホルダーの左右側壁部の共振やフォーカス用コイルの共振に起因するレンズホルダーの共振を防止でき、レンズホルダーの剛性や重心バランス等の変更、調整も行える対物レンズアクチュエータを提供することにある。
【課題を解決するための手段】
【０００８】
上記課題を解決するため、本発明に係る対物レンズアクチュエータは、レンズ保持部の周囲に外壁を一体に形成してなるレンズホルダーのレンズ保持部に対物レンズを保持させ、外壁の内側にフォーカス用コイル、外壁の前後壁部にトラッキング用コイル、レンズホルダーの下面にチルト用コイルをそれぞれ取付けると共に、外壁の左右側壁部を複数のワイヤで支持させた対物レンズアクチュエータにおいて、上記レンズホルダーのレンズ保持部と左右側壁部を、左右一対の補強部材で連結したことを特徴とするものである。
【０００９】
本発明の対物レンズアクチュエータにおいては、レンズホルダーのレンズ保持部と左右側壁部に嵌合溝を形成し、これらの嵌合溝に左右一対の補強部材の両端部を嵌合させて接着することが好ましい。その場合、補強部材の一端に下方へ突き出す位置決め用突片を形成し、この位置決め用突片を左右側壁部の外面に当接させることが好ましい。
【００１０】
そして、本発明の更に具体化された好ましい対物レンズアクチュエータは、レンズ保持部の周囲に外壁を一体に形成してなるレンズホルダーのレンズ保持部に対物レンズを保持させ、外壁の内側にフォーカス用コイル、外壁の前後壁部にトラッキング用コイル、レンズホルダーの下面にチルト用コイルをそれぞれ取付けると共に、外壁の左右側壁部を複数のワイヤで支持させた対物レンズアクチュエータにおいて、上記レンズホルダーのレンズ保持部と左右側壁部に嵌合溝を形成し、これらの嵌合溝に左右一対の補強部材の両端部を嵌合させると共に、補強部材の一端に形成した位置決め用突片を左右側壁部の外面に当接させて、補強部材の両端部を接着することにより、上記レンズホルダーのレンズ保持部と左右側壁部を左右一対の上記補強部材で連結し、かつ、これらの補強部材で上記フォーカス用コイルを押さえたことを特徴とするものである。
【発明の効果】
【００１１】
本発明の対物レンズアクチュエータは、レンズホルダーのレンズ保持部と外壁の左右側壁部を左右一対の補強部材で連結したため、レンズホルダーの剛性、特に左右側壁部の剛性が向上し、制御動作中に左右側壁部が左右方向に共振し難くなる。従って、左右側壁部の共振に起因するレンズホルダーの共振が防止されるので、光ディスクを高速回転させて記録・再生するような場合でも、フォーカス制御、トラッキング制御、チルト制御を支障なく行うことができる。また、レンズホルダーとは別部材である左右一対の補強部材で連結、補強したため、これらの補強部材の材質、位置、重量、体積等を変えることで、レンズホルダーの剛性や重心バランス等を変更、調整することもできる。
【００１２】
そして、レンズホルダーのレンズ保持部と左右側壁部に嵌合溝を形成し、これらの嵌合溝に左右一対の補強部材の両端部を嵌合させて接着したものは、補強部材両端部の接着強度や、レンズ保持部と左右側壁部との連結強度が増大し、レンズホルダーの剛性が一層高められるので、レンズホルダーの共振防止効果が顕著になる。更に、補強部材の一端に下方へ突き出す位置決め用突片を形成して、この位置決め用突片を左右側壁部の外面に当接させたものは、補強部材がレンズ保持部の内側の光路空間に突き出さないように補強部材を位置決めして取付けることができるので、補強部材の取付位置にズレが生じて補強部材が光路の障害となるのを防止することができる。
【００１３】
また、本発明の更に具体的な好ましい対物レンズアクチュエータのように、左右一対の補強部材でフォーカス用コイルを押さえたものは、制御動作中のフォーカス用コイルの不要な共振が抑制されるので、このフォーカス用コイルの共振に起因するレンズホルダーの共振を防止することもできる。
【発明を実施するための最良の形態】
【００１４】
以下、図面を参照して本発明の具体的な実施形態を詳述する。
【００１５】
図１は本発明の一実施形態に係る対物レンズアクチュエータの斜視図、図２は同アクチュエータの対物レンズを省略したレンズホルダーの斜視図、図３は、フォーカス用コイルとトラッキング用コイルを省略した同レンズホルダーの分解斜視図である。
【００１６】
図１に示すように、この対物レンズアクチュエータは、アクチュエータベース３の上にゲルボックス２が接着剤で取付固定されており、このゲルボックス２の両側のゲル充填部２ａ，２ａを通って前方へ突き出す片側３本（両側で６本）のワイヤ４によって、レンズホルダー１の外壁１ｂの左右側壁部１ｄ，１ｄが支持されている。即ち、このレンズホルダー１の左右側壁部１ｄにはフレキシブルプリント回路（ＦＰＣ）５ａが貼着されており、このＦＰＣ５ａのランド部に各ワイヤ４の先端を半田付けすることによって、レンズホルダー１が可動状態でワイヤ４により支持されている。そして、各ワイヤ４の後端部はゲルボックス２の両側のゲル充填部２ａ，２ａを突き抜け、ゲルボックス２の後面から左右両側面に貼着されたＦＰＣ５ｂの左右両側のランド部に半田付けされている。このゲル充填部２ａはワイヤ４の不要な共振を吸収するものであり、ゲル剤として例えばシリコーン系のゲル剤等が充填されている。また、レンズホルダー１の前後には一組のマグネット６，６が配置され、アクチュエータベース３から起立する取付片３ａ，３ａに取付固定されている。
【００１７】
上記のレンズホルダー１は、合成樹脂を射出成形することによって、図３に示すように、レンズ保持部１ａと、レンズ保持部１ａを支える長方形の基枠部１ｅと、レンズ保持部１ａを取り囲む外壁１ｂとを一体に形成したものである。このレンズホルダー１のレンズ保持部１ａは略角筒状に形成され、その上部に対物レンズを嵌合する円形のレンズ嵌合口１ｆが形成されている。そして、このレンズ保持部１ａの上部の四隅には、円弧状段部を内側に備えた支持突部１ｇが形成されており、図１に示すように、対物レンズ７は、これらの支持突部１ｅの円弧状段部によってレンズの周囲が支持された状態で、レンズ嵌合口１ｄに嵌合されて接着固定されている。
【００１８】
レンズ保持部１ａの周囲の外壁１ｂは基枠部１ｅから立設されたものであって、左右側壁部１ｄ，１ｄと、この左右側壁部１ｄ，１ｄの両端から内側へ折れ曲がってレンズ保持部１ａの近くまで延びる前後壁部１ｃ，１ｃとを備えており、それぞれの前後壁部１ｃにはコ字形のコイル芯部１ｈ，１ｈが形成されている。そして、この左右側壁部１ｄと前後壁部１ｃからなる外壁１の内側には、図２に示すように、フォーカス用コイル８が嵌め込まれて基枠部１ｅに接着されており、また、それぞれの前後壁部１ｃには、トラッキング用コイル９がコイル芯部１ｈを取り囲むように貼着されている。更に、このレンズホルダー１の下面には、チルト用２連コイル（不図示）が左右のヨーク遊挿口（不図示）を取り囲むように貼着されており、このヨーク遊挿口にアクチュエータベース３から立ち上がる左右のヨーク（不図示）が下方から遊挿されるようになっている。
【００１９】
このレンズホルダー１の左右側壁部１ｄ，１ｄの上端には、図３に示すように嵌合溝１ｉ，１ｉが形成されており、これらの嵌合溝１ｉ，１ｉに対向して、レンズ保持部１ａのレンズ嵌合口１ｆの口縁部にも嵌合溝１ｉ，１ｉが形成されている。そして、図２に示すように、これらの嵌合溝１ｉ，１ｉ，１ｉ，１ｉに左右一対の補強部材１０，１０の両端を嵌合して接着することにより、レンズホルダー１のレンズ保持部１ａと左右側壁部１ｄ，１ｄが強固に連結されて剛性が高められている。
【００２０】
各補強部材１０の一端には、下方へ突き出す位置決め用突片１０ａが形成されており、この位置決め用突片１０ａを左右側壁部１ｄの外面に当接させることによって、各補強部材１０の他端がレンズ保持部１ａのレンズ嵌合口１ｆ内側の光路空間に突き出さないように位置決めされて接着固定されている。従って、各補強部材１０の取付位置にズレが生じ、各補強部材１０の他端が光路空間に突き出して障害となるのを確実に防止できるようになっている。また、レンズホルダー１の外壁１ｂの内側に取付けられたフォーカス用コイル８は、制御動作時に不要な共振が生じないように、上記の補強部材１０，１０によって上から押さえ付けられている。
【００２１】
補強部材１０は、強度の大きい樹脂などで製作することが好ましく、軽量化を図るために断面形状を逆Ｕ形とし、その凹部を接着剤溜まりとして嵌合溝１ｉに強固に接着することが好ましい。
【００２２】
以上のような構成の対物レンズアクチュエータは、光ピックアップ装置の立上げミラーの真上に対物レンズ７が位置するように位置決めされて、光ピックアップ装置のスライドベースの上に接着固定される。そして、立上げミラーで上方に反射されたビームを対物レンズ７で集光して光ディスクに照射するときに、フォーカス用コイル８、トラッキング用コイル９、チルト用コイルがワイヤ４を通じて通電制御され、マグネット６，６間の磁界によるローレンツ力を受けて、対物レンズ７を保持したレンズホルダー１が制御動作し、フォーカス制御、トラッキング制御、チルト制御が行われる。
【００２３】
上記のように対物レンズ７を保持したレンズホルダー１が制御動作をしても、この対物レンズアクチュエータは、レンズホルダー１の剛性、特に、左右側壁部１ｄ，１ｄの剛性が補強部材１０，１０によって高められているため、左右側壁部１ｄ，１ｄに共振が生じ難く、従って、左右側壁部１ｄ，１ｄの共振に起因するレンズホルダー１全体の共振が防止されるので、フォーカス制御、トラッキング制御、チルト制御に支障を来す心配は解消される。また、フォーカス用コイル８も補強部材１０，１０によって押さえられ、不要な共振を生じ難いため、フォーカス用コイル８の共振に起因するレンズホルダー１の共振も十分防止することができる。
【００２４】
また、この対物レンズアクチュエータは、レンズホルダー１とは別部材である左右一対の補強部材１０，１０で補強するため、これらの補強部材１０，１０の材質、位置、重量、体積等を適宜変えることによって、レンズホルダー１の剛性や重心バランス等を変更、調整することもできる。従って、この補強部材１０，１０は、対物レンズアクチュエータに不具合等が生じた場合の対策の一つの選択枝となるので、対策を講じ易くなる利点もある。
【図面の簡単な説明】
【００２５】
【図１】本発明の一実施形態に係る対物レンズアクチュエータの斜視図である。
【図２】同アクチュエータの対物レンズを省略したレンズホルダーの斜視図である。
【図３】フォーカス用コイルとトラッキング用コイルを省略した同レンズホルダーの分解斜視図である。
【図４】従来の対物レンズアクチュエータのレンズホルダーを示す正面図である。
【符号の説明】
【００２６】
１    レンズホルダー
１ａ  レンズ保持部
１ｂ  外壁
１ｃ  外壁の前後壁部
１ｄ  外壁の左右側壁部
１ｉ  嵌合溝
２    ゲルボックス
２ａ  ゲル充填部
３    アクチュエータベース
４    ワイヤ
６    マグネット
７    対物レンズ
８    フォーカス用コイル
９    トラッキング用コイル
１０  補強部材
１０ａ  位置決め用突片
【図１】
2008108345.tif 000003
【図２】
2008108345.tif 000004
【図３】
2008108345.tif 000005
【図４】
2008108345.tif 000006